(57)【要約】  利用者のスケジュールや位置に応じて、その利用者のための呼びを自動で登録することができるエレベーターの制御システムを提供する。  本制御システムでは、個人特定情報が記録されたＩＣタグを利用する。スケジュール管理装置は、個人特定情報によって特定される個人のスケジュールデータを管理する。制御装置は、エレベーターの運行を制御する。また、本制御システムには、受信器、識別手段、通信手段、行動特定手段、管理手段が備えられている。識別手段は、個人特定情報を受信した受信器の設置階床を特定する。通信手段は、受信器が受信した個人特定情報をスケジュール管理装置に送信する。行動特定手段は、受信器が受信した個人特定情報によって特定される個人の移動階床を特定する。管理手段は、識別手段が特定した設置階床と行動特定手段が特定した移動階床とに基づき、乗場呼びを登録する。
2012137337.tif 000002
【特許請求の範囲】
【請求項１】
個人特定情報が記録されたＩＣタグを利用するエレベーターの制御システムであって、
個人特定情報によって特定される個人のスケジュールデータを管理するスケジュール管理装置と、
前記スケジュール管理装置に所定のネットワークを介して接続され、エレベーターの運行を制御する制御装置と、
エレベーターの乗場に設けられ、前記ＩＣタグから個人特定情報を受信する第１受信器と、
個人特定情報を受信した前記第１受信器の設置階床を特定する識別手段と、
前記第１受信器が受信した個人特定情報を前記スケジュール管理装置に送信する通信手段と、
前記スケジュール管理装置に設けられ、前記スケジュールデータと前記通信手段からの情報とに基づいて、前記第１受信器が受信した個人特定情報によって特定される個人の移動階床を特定する行動特定手段と、
前記制御装置に設けられ、前記識別手段によって特定された設置階床と前記行動特定手段によって特定された移動階床とに基づいて、乗場呼びを登録する管理手段と、
を備えたエレベーターの制御システム。
【請求項２】
エレベーターの各乗場に設けられた乗場釦と、
を更に備え、
前記管理手段は、前記識別手段によって特定された設置階床と前記行動特定手段によって特定された移動階床とに基づいて乗場呼びを登録すると、登録した乗場呼びに対応する乗場釦を点灯させる請求項１に記載のエレベーターの制御システム。
【請求項３】
エレベーターのかごに設けられ、前記ＩＣタグから個人特定情報を受信する第２受信器と、
を更に備え、
前記管理手段は、乗場呼びの登録後に前記第２受信器がＩＣタグから個人特定情報を受信すると、前記行動特定手段によって特定された移動階床に対応するかご呼びを登録する請求項１又は請求項２に記載のエレベーターの制御システム。
【請求項４】
エレベーターのかごに設けられた複数の行先釦と、
を更に備え、
前記管理手段は、前記行動特定手段によって特定された移動階床に対応するかご呼びを登録すると、登録したかご呼びに対応する行先釦を点灯させる請求項３に記載のエレベーターの制御システム。
【請求項５】
前記スケジュールデータは、予定が行われる場所の情報とその開始日時の情報とを有し、
前記行動特定手段は、現在日時を含む所定の期間内に開始日時が設定されている予定の開催場所に基づいて、移動階床を特定する請求項１から請求項４の何れかに記載のエレベーターの制御システム。
【請求項６】
前記管理手段は、前記行動特定手段によって所定の不明階床が特定された場合に、前記識別手段によって特定された設置階床の乗場から、乗場釦の操作を促すための報知を行わせる請求項１から請求項５の何れかに記載のエレベーターの制御システム。
【発明の詳細な説明】
【技術分野】
【０００１】
この発明は、利用者のスケジュールに応じてエレベーターを適切に制御する制御システムに関するものである。
【背景技術】
【０００２】
下記特許文献１には、施設に来訪者が訪れた際に、その来訪者に応対する人の端末に、面会に必要な情報を表示するシステムが開示されている。特許文献１に記載のシステムでは、ＩＣ（Ｉｎｔｅｇｒａｔｅｄ  Ｃｉｒｃｕｉｔ）タグを内蔵したバッジを来訪者に付与し、ＩＣタグから必要な情報を受信している。
【先行技術文献】
【特許文献】
【０００３】
【特許文献１】日本特開２００７−３２３５３１号公報
【発明の概要】
【発明が解決しようとする課題】
【０００４】
特許文献１に記載のシステムが備えられた施設では、施設側の人が来訪者に応対するために他の階床に移動する場合、例えば、来訪者に見せるための書類を両手で抱えていたりすると、エレベーターの操作が困難になるといった問題があった。
このような問題は、特許文献１に記載のシステムが備えられていない施設においても、同様に発生し得る。【０００５】
この発明は、上述のような課題を解決するためになされたもので、その目的は、利用者のスケジュールや位置に応じて、その利用者のための呼びを自動で登録することができるエレベーターの制御システムを提供することである。
【課題を解決するための手段】
【０００６】
この発明に係るエレベーターの制御システムは、個人特定情報が記録されたＩＣタグを利用するエレベーターの制御システムであって、個人特定情報によって特定される個人のスケジュールデータを管理するスケジュール管理装置と、スケジュール管理装置に所定のネットワークを介して接続され、エレベーターの運行を制御する制御装置と、エレベーターの乗場に設けられ、ＩＣタグから個人特定情報を受信する第１受信器と、個人特定情報を受信した第１受信器の設置階床を特定する識別手段と、第１受信器が受信した個人特定情報をスケジュール管理装置に送信する通信手段と、スケジュール管理装置に設けられ、スケジュールデータと通信手段からの情報とに基づいて、第１受信器が受信した個人特定情報によって特定される個人の移動階床を特定する行動特定手段と、制御装置に設けられ、識別手段によって特定された設置階床と行動特定手段によって特定された移動階床とに基づいて、乗場呼びを登録する管理手段と、を備えたものである。
【発明の効果】
【０００７】
この発明によれば、利用者のスケジュールや位置に応じて、その利用者のための呼びを自動で登録することができるようになる。
【図面の簡単な説明】
【０００８】
【図１】この発明の実施の形態１におけるエレベーターの制御システムの全体構成を示す図である。
【図２】スケジュールデータの例を示す図である。
【図３】この発明の実施の形態１におけるエレベーターの制御システムの動作を示すフローチャートである。
【図４】会議室名と階床名との対応例を示す図である。
【発明を実施するための形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベーターの制御システムの全体構成を示す図である。図１は、多数の従業員が働くオフィスビルに本制御システムを適用した例を示している。
【００１１】
図１において、１はある従業員２がオフィスビル内で仕事を行うための居室である。居室１には、この従業員２に割り当てられたパーソナルコンピューター（以下、単に「ＰＣ」ともいう）３が備えられている。
【００１２】
近年のオフィスでは、セキュリティ強化の観点から、各従業員に、ＩＣ（Ｉｎｔｅｇｒａｔｅｄ  Ｃｉｒｃｕｉｔ）タグが実装された社員証を持たせる場合がある。４は上記従業員２が所有する社員証である。社員証４に内蔵されたＩＣタグには、少なくとも、従業員２（個人）を特定するための情報（例えば、社員番号：以下、「個人特定情報」ともいう）が記録されている。従業員２は、例えば、居室１内のＰＣ３に接続されたカードリーダー（図示せず）に社員証４をかざすことにより、ＰＣ３を起動させることができる。
【００１３】
このオフィスでは、スケジュールを管理するためのソフトウェア（以下、「スケジューラ」ともいう）を使用して、各従業員のスケジュール管理を行うシステムが導入されている。
【００１４】
５は各従業員のスケジュールに関するデータ（以下、「スケジュールデータ」ともいう）を管理するスケジュール管理装置である。スケジュール管理装置５は、例えば、スケジューラの管理サーバ（サーバ型のパーソナルコンピューター）により構成される。スケジュール管理装置５には、記憶手段６（例えば、ハードディスク）、データ更新手段７、行動特定手段８が備えられている。
【００１５】
スケジュール管理装置５と各従業員のＰＣとは、構内ネットワーク９に接続されている。このため、各従業員は、自分のＰＣからスケジュールデータを変更したり閲覧したりすることができる。
【００１６】
以下に、図２も参照し、従業員２が自分のスケジュールデータを更新する場合について説明する。図２はスケジュールデータの例を示す図である。記憶手段６には、図２に示すように、各従業員のスケジュールデータが記憶されている。以下においては、従業員２の個人特定情報（個人ＩＤ）を「１」として、具体的な説明を行う。
【００１７】
従業員２は、ＰＣ３から、会議や来訪者への応対といった予定をスケジューラに記載（入力）する。従業員２は、例えば、予定（例えば、会議）が行われる場所（例えば、会議室名）、予定の開始日時、予定の終了日時をＰＣ３から入力する。従業員２は、必要な情報をスケジューラに入力した後、所定の更新操作を行う。更新操作が行われると、ＰＣ３は、入力された情報と従業員２の個人特定情報とを、構内ネットワーク９を介してスケジュール管理装置５に送信する。
【００１８】
スケジュール管理装置５では、ＰＣ３から受信した情報に基づいて、データ更新手段７がスケジュールデータの更新を行う。このため、スケジュール管理装置５には、従業員２の最新のスケジュールデータが蓄積される。スケジュールデータには、予定が行われる場所（開催場所）の情報と、予定の開始日時の情報とが少なくとも含まれる。本実施の形態では、各予定について、月日、開始時刻、終了時刻、会議室名が紐付けて記憶されている。
【００１９】
行動特定手段８の機能については、エレベーターの制御装置１０の機能とともに後述する。
【００２０】
制御装置１０は、このオフィスビルに設置されたエレベーターの運行を制御する。
制御装置１０には、例えば、通信手段１１、管理手段１２、識別手段１３、記憶手段１４が備えられている。
【００２１】
通信手段１１は、制御装置１０が外部機器との通信を行うためのものである。制御装置１０は、構内ネットワーク９に接続されている。通信手段１１は、構内ネットワーク９を介して、外部機器（例えば、スケジュール管理装置５）との情報の送受信を行う。
【００２２】
管理手段１２は、エレベーターの運転を適切に管理する。エレベーターの各乗場には、乗場釦１５が設置されている。乗場釦１５が押されると、乗場釦１５から管理手段１２に対して乗場呼びの登録要求が送信される。管理手段１２は、乗場釦１５から上記登録要求を受信すると、対応の乗場呼びを登録する。管理手段１２は、乗場呼びの登録を行うと、対応の乗場釦１５（ＵＰ釦、ＤＯＷＮ釦）を点灯させる。
図１では、オフィスビルの３階に設置された乗場釦を符号１５ａにより、４階に設置された乗場釦を符号１５ｂにより示している。
【００２３】
エレベーターの各乗場には、受信器１６が設けられている。受信器１６は、各従業員の社員証に内蔵されたＩＣタグから、その記録情報を受信するためのものである。例えば、従業員２がエレベーターの乗場に近づくと、社員証４内のＩＣタグから個人特定情報「１」が受信器１６に送信される。受信器１６は、ＩＣタグから個人特定情報を受信すると、その受信した個人特定情報と所定の階床特定情報とを識別手段１３に送信する。階床特定情報とは、何階に設置された受信器であるのかを特定するための情報である。
【００２４】
図１では、オフィスビルの３階に設置された受信器を符号１６ａにより、４階に設置された受信器を符号１６ｂにより示している。
なお、ＩＣタグは、数ｍ程度の距離であれば、内部の記録情報を受信器１６に送信することができる。このため、従業員２は、エレベーターの乗場において、社員証４を受信器１６の前にかざすといった行為をわざわざ行う必要はない。
【００２５】
識別手段１３は、受信器１６から入力された情報に基づいて、個人特定情報を受信した受信器１６の設置階床を特定する。
例えば、受信器１６にＲＳＷ（ロータリースイッチ）が実装されている場合、このＲＳＷを利用して、受信器１６に階床特定情報を設定する。かかる場合、従業員２が社員証４を所持して３階の乗場に接近すると、社員証４のＩＣタグから個人特定情報「１」が受信器１６ａに送信される。受信器１６ａは、社員証４のＩＣタグから個人特定情報「１」を受信すると、この個人特定情報「１」と自機の階床特定情報「３」とを識別手段１３に対して送信する。識別手段１３は、受信器１６ａから受信した階床特定情報「３」から、その設置階床（受信器１６ａが設置されている階床）を「３階」と特定する。
【００２６】
受信器１６と識別手段１３とがＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）で接続されている場合は、受信器１６に割り当てられているＩＰアドレスを階床特定情報として利用することもできる。例えば、識別手段１３は、３階に設置された受信器１６ａから個人特定情報「１」を受信した場合、受信器１６ａに割り当てられているＩＰアドレスから、その設置階床を「３階」と特定する。なお、かかる場合は、ＩＰアドレスと設置階床との対応関係の情報を予め登録しておく必要がある。
【００２７】
識別手段１３は、個人特定情報を受信した受信器１６の設置階床を特定すると、特定した設置階床の情報を管理手段１２に送信する。
【００２８】
また、識別手段１３は、受信器１６から入力された情報に基づいて、受信器１６が受信した個人特定情報を通信手段１１に送信する。通信手段１１は、識別手段１３から個人特定情報を受信すると、その個人特定情報（即ち、受信器１６が受信した個人特定情報）をスケジュール管理装置５に送信する。スケジュール管理装置５では、制御装置１０（の通信手段１１）から個人特定情報を受信すると、行動特定手段８が、その個人特定情報によって特定される従業員（個人）のその後の行動を特定するための処理を開始する。
【００２９】
以下に、図３及び図４も参照し、スケジュール管理装置５が制御装置１０から個人特定情報を受信した時の動作について説明する。図３は、この発明の実施の形態１におけるエレベーターの制御システムの動作を示すフローチャートである。具体的に、図３は行動特定手段８の処理フローを示している。図４は会議室名と階床名との対応例を示す図である。
【００３０】
スケジュール管理装置５では、制御装置１０から個人特定情報を受信すると（Ｓ１のＹｅｓ）、行動特定手段８が、先ず、スケジュール管理装置５に内蔵された時計機能から、現在の日時情報を取得する（Ｓ２）。また、行動特定手段８は、制御装置１０から受信した個人特定情報に基づき、記憶手段６から、その個人特定情報によって特定される従業員のスケジュールデータを取得する（Ｓ３）。
【００３１】
次に、行動特定手段８は、取得した現在日時の情報とスケジュールデータとに基づいて、その従業員（エレベーターの乗場近傍にいる従業員）がこれから移動する場所を特定する（Ｓ４）。
【００３２】
例えば、現在の日時が「１０月１日１４時５５分」であり、３階の受信器１６ａが個人特定情報「１」を受信した場合、記憶手段６に図２に示すスケジュールデータが記憶されていれば、行動特定手段８は、従業員２がこれから移動する場所を「会議室１０１」と特定する。この時、行動特定手段８は、現在日時を含む所定の期間内に開始日時或いは終了日時が設定されている予定の開催場所に基づいて、移動場所の特定を行う。例えば、現在時刻の前１０分間と後１０分間との計２０分の間に、開始日時或いは終了日時が設定されていれば、その時刻に開始或いは終了する予定の開催場所（本実施の形態においては、会議室名）を移動場所として特定する。
【００３３】
なお、上記所定の期間内に複数の予定の開始日時が設定されている場合、行動特定手段８は、例えば、現在日時に一番近い開始日時に基づいて、移動場所の特定を行う。上記所定の期間内に、何れの予定の開始日時及び終了日時も設定されていない場合、行動特定手段８は、所定の不明場所（例えば、「会議室０００」）を移動場所として特定する。
【００３４】
行動特定手段８は、Ｓ４で従業員の移動場所を特定すると、次に、その特定した移動場所がどの階床にあるのか、即ち、従業員の移動階床を特定する（Ｓ５）。スケジュール管理装置５には、スケジュールデータに登録可能な場所（本実施の形態では、会議室名）とその場所が存在する階床との対応関係の情報が、記憶手段６に予め登録されている。行動特定手段８は、この対応情報に基づいて、従業員がこれから移動する階床を特定する。
【００３５】
例えば、行動特定手段８は、Ｓ４において従業員２がこれから移動する場所を「会議室１０１」と特定した場合、図４に示す対応表から従業員２の移動階床を「１階」と特定する。なお、Ｓ４において従業員２の移動場所を「会議室０００」と特定した場合、行動特定手段８は、従業員２の移動階床を所定の不明階床と特定する。
【００３６】
Ｓ５において従業員の移動階床を特定すると、行動特定手段８は、その特定した移動階床の情報をエレベーターの制御装置１０に送信する（Ｓ６）。
【００３７】
制御装置１０の通信手段１１は、個人特定情報をスケジュール管理装置５に送信した後、その回答としてスケジュール管理装置５から従業員の移動階床の情報を受信すると、その受信した移動階床の情報を管理手段１２に送信する。
【００３８】
管理手段１２は、識別手段１３によって特定された受信器１６の設置階床と、行動特定手段８によって特定された従業員の移動階床とに基づいて、乗場呼びを登録する。また、管理手段１２は、乗場呼びの登録を行うと、その乗場呼びに対応する乗場釦１５を点灯させる。
【００３９】
具体的に、管理手段１２は、識別手段１３から受信した設置階床の情報と、通信手段１１を介して行動特定手段８から受信した移動階床の情報とを比較し、従業員の移動方向を特定する。そして、管理手段１２は、特定した移動方向に基づき、識別手段１３によって特定された設置階床の乗場呼びを登録する。また、管理手段１２は、上記移動方向に対応する方向の乗場釦１５を点灯させる。
【００４０】
例えば、１４時５５分に従業員２の社員証４から３階の受信器１６ａに個人特定情報「１」が送信された上記例では、管理手段１２に、識別手段１３から「３階」の情報が、通信手段１１から「１階」の情報が入力される。かかる場合、管理手段１２は、行動特定手段８が特定した移動階床「１階」が、識別手段１３が特定した設置階床「３階」よりも下層であるため、従業員２の移動方向を下方向と特定し、３階の下方向の乗場呼びを登録する。また、管理手段１２は、３階に設置された下方向の乗場釦１５ａを点灯させる。
【００４１】
なお、管理手段１２は、行動特定手段８が特定した移動階床が、識別手段１３が特定した設置階床「３階」よりも上層である場合、従業員２の移動方向を上方向と特定し、３階の上方向の乗場呼びを登録する。また、管理手段１２は、３階に設置された上方向の乗場釦１５ａを点灯させる。
また、管理手段１２は、行動特定手段８が所定の不明階床を特定した場合、識別手段１３が特定した設置階床「３階」の乗場から、乗場釦１５ａの操作を促すための報知を行わせる。
【００４２】
上記構成を有するエレベーターの制御システムであれば、従業員のスケジュールと現在位置とに合わせて、その従業員のための乗場呼びを自動で登録することができる。また、乗場呼びの登録時に対応の乗場釦１５が点灯するため、乗場にいる従業員に、乗場呼びが自動で登録されたことを確実に伝えることができる。このため、従業員は、乗場において、乗場呼びを登録するために何らかの操作（動作）を行う必要はない。
【００４３】
なお、上記説明は、乗場呼びを自動登録するまでのものであるが、本制御システムであれば、乗場呼びの登録後に、かご呼びの自動登録を行うことも可能である。
以下に、かかる機能を実現するための構成及び動作について説明する。
【００４４】
１７はエレベーターの昇降路内を昇降するかごである。かご１７の動作は、管理手段１２によって制御される。かご１７には、操作盤１８と受信器１９とが設置されている。
操作盤１８には、かご１７が停止する階床に対応して、複数の行先釦（図示せず）が備えられている。操作盤１８の行先釦が押されると、操作盤１８から管理手段１２に対してかご呼びの登録要求が送信される。管理手段１２は、操作盤１８から上記登録要求を受信すると、対応のかご呼びを登録する。管理手段１２は、かご呼びの登録を行うと、対応の行先釦を点灯させる。
【００４５】
受信器１９は、各従業員の社員証に内蔵されたＩＣタグから、その記録情報を受信するためのものである。例えば、従業員２がエレベーターのかご１７に乗ると、社員証４内のＩＣタグから個人特定情報「１」が受信器１９に送信される。受信器１９は、ＩＣタグから個人特定情報を受信すると、その受信した個人特定情報を管理手段１２に送信する。
【００４６】
管理手段１２は、乗場呼びを自動登録した後に受信器１９から個人特定情報を受信すると、通信手段１１から受信した情報に基づき、行動特定手段８によって特定された移動階床に対応するかご呼びを登録する。例えば、従業員２の移動階床として「１階」が特定された上記例では、管理手段１２は、３階の下方向の乗場呼びを自動登録した後に受信器１９から同じ個人特定情報「１」を受信すると、１階のかご呼びを登録する。また、管理手段１２は、操作盤１８に備えられた１階の行先釦を点灯させる。
【００４７】
かご呼びの自動登録を行う場合、管理手段１２は、例えば、通信手段１１から移動階床の情報を受信すると、その情報を個人特定情報と関連付けて記憶手段１４に記憶させておく。管理手段１２は、受信器１９から個人特定情報を受信すると、記憶手段１４に記憶されている内容に基づいて、かご呼びの登録と行先釦の点灯とを行う。
【００４８】
このような構成であれば、従業員は、釦操作を行うことなく、乗場から行先階まで移動することができる。
【産業上の利用可能性】
【００４９】
この発明に係るエレベーターの制御システムは、ＩＣタグを用いて個人のスケジュール管理を行う環境下において、適用することができる。
【符号の説明】
【００５０】
１  居室
２  従業員
３  パーソナルコンピューター
４  社員証
５  スケジュール管理装置
６、１４  記憶手段
７  データ更新手段
８  行動特定手段
９  構内ネットワーク
１０  制御装置
１１  通信手段
１２  管理手段
１３  識別手段
１５  乗場釦
１６、１９  受信器
１７  かご
１８  操作盤
【図１】
2012137337.tif 000003
【図２】
2012137337.tif 000004
【図３】
2012137337.tif 000005
【図４】
2012137337.tif 000006
【国際調査報告】
2012137337.tif 000007
2012137337.tif 000008